(57)【要約】【課題】内部に無線アダプタを収納する構成であっても、無線アダプタの設置及び動作確認を簡便に行うことのできる空調室内機の提供。【解決手段】空調室内機１００は、本体１０と、前面パネル２０と、無線アダプタと、を備える。前面パネル２０は、本体１０の前側を覆う着脱自在な部品である。無線アダプタは、発光表示部を有する。本体１０には、前面パネル２０と対向する位置に、無線アダプタを収納するための収納部８０が設けられている。収納部８０は、前面パネル２０側が開口している。そして、無線アダプタは、発光表示部が前面パネル２０側を向くように、収納部８０に設置される。【選択図】図４
2016121833.tif 000002
【特許請求の範囲】
【請求項１】
本体（１０）と、
前記本体の前側を覆う着脱自在な前面パネル（２０）と、
発光表示部（５１）を有する無線アダプタ（５０）と、
を備え、
前記本体には、前記前面パネルと対向する位置に、前記無線アダプタを収納するための収納部（８０）が設けられており、
前記収納部は、前記前面パネル側が開口しており、
前記無線アダプタは、前記発光表示部が前記前面パネル側を向くように、前記収納部に設置される、
空調室内機（１００）。
【請求項２】
前記前面パネルは、前記発光表示部の光を透過できるように構成されている、
請求項１に記載の空調室内機。
【請求項３】
前記前面パネルと前記本体との間には、前記発光表示部の光を部屋の天井に投影させるための光投影空間が形成されている、
請求項１に記載の空調室内機。
【請求項４】
前記発光表示部の光は、所定時間点灯した後に消灯する、
請求項１から３のいずれか１項に記載の空調室内機。
【請求項５】
前記前面パネルは、樹脂により構成されている、
請求項１から４のいずれか１項に記載の空調室内機。
【請求項６】
前記収納部は、通風経路外に配置されている、
請求項１から５のいずれか１項に記載の空調室内機。
【請求項７】
前記無線アダプタの近傍には電装品箱（６０）が配置されている、
請求項１から６のいずれか１項に記載の空調室内機。
【発明の詳細な説明】
【技術分野】
【０００１】
本発明は、無線アダプタを備える空調室内機に関する。
【背景技術】
【０００２】
従来より、例えば、特許文献１（特開２００８−４９７５号公報）に開示されているように、無線アダプタを空調室内機に設けることで、空調室内機の遠隔操作を実現した空調室内機がある。
【発明の概要】
【発明が解決しようとする課題】
【０００３】
ところで、無線アダプタを空調室内機の内部に設置した場合、通常、無線アダプタの発光表示部を外部から視認できなくなる。そうすると、無線アダプタが正常に動作しているか否かを確認する際に、視認による確認作業を行うことができないために、動作確認作業が繁雑になってしまうおそれがある。
【０００４】
そこで、本発明の課題は、内部に無線アダプタを収納する構成であっても、無線アダプタの設置及び動作確認を簡便に行うことのできる空調室内機を提供することにある。
【課題を解決するための手段】
【０００５】
本発明の第１観点に係る空調室内機は、本体と、前面パネルと、無線アダプタと、を備える。前面パネルは、本体の前側を覆う着脱自在な部品である。無線アダプタは、発光表示部を有する。本体には、前面パネルと対向する位置に、無線アダプタを収納するための収納部が設けられている。収納部は、前面パネル側が開口している。そして、無線アダプタは、発光表示部が前面パネル側を向くように、収納部に設置される。
【０００６】
本発明の第１観点に係る空調室内機では、無線アダプタの発光表示部が前面パネル側を向くように、無線アダプタが収納部に設置される。このため、例えば、本体から前面パネルを取り外すだけで、ユーザや設置作業者は発光表示部を視認することができる。
【０００７】
これによって、内部に無線アダプタを収納する構成であっても、無線アダプタの設置及び動作確認を簡易に行うことができる。
【０００８】
本発明の第２観点に係る空調室内機は、第１観点の空調室内機において、前面パネルは、発光表示部の光を透過できるように構成されている。この空調室内機では、前面パネルを介して発光表示部の光を視認することができるため、本体から前面パネルを取り外すことなく、無線アダプタの動作確認を行うことができる。
【０００９】
本発明の第３観点に係る空調室内機は、第１観点の空調室内機において、前面パネルと本体との間には、発光表示部の光を部屋の天井に投影させるための光投影空間が形成されている。この空調室内機では、部屋の天井を見ることで発光表示部の光を確認することができるため、本体から前面パネルを取り外すことなく、無線アダプタの動作確認を行うことができる。
【００１０】
本発明の第４観点に係る空調室内機は、第１観点から第３観点のいずれかの空調室内機において、発光表示部の光は、所定時間点灯した後に消灯する。
【００１１】
ここで、発光表示部の光が常時点灯しており、かつ該光をユーザが視認可能な構成の空調室内機の場合、ユーザが空調室内機の故障であると誤認する等ユーザに対して不快感を与えるおそれがある。
【００１２】
この空調室内機では、発光表示部の光が自動的に消灯するため、ユーザに対して不快感を与えるおそれを低減することができる。
【００１３】
なお、ここでいう所定時間の起点は、通電されていない無線アダプタに通電された時や無線アダプタ自体の操作を行った時を意味している。
【００１４】
本発明の第５観点に係る空調室内機は、第１観点から第４観点の空調室内機において、前面パネルは、樹脂により構成されている。
【００１５】
ここで、無線アダプタによる通信は電波が弱いことが多く、特に金属部品があると該金属部品により電波が遮られることで通信障害を発生することがある。
【００１６】
この空調室内機では、前面パネルが樹脂によって構成されているため、無線アダプタの通信障害の発生を抑制することができる。
【００１７】
本発明の第６観点に係る空調室内機は、第１観点から第５観点の空調室内機において、収納部は、通風経路外に配置されている。このため、この空調室内機では、無線アダプタが通風抵抗になることを抑制することができる。
【００１８】
本発明の第７観点に係る空調室内機は、第１観点から後６観点の空調室内機において、無線アダプタの近傍には、電装品箱が配置されている。この空調室内機では、無線アダプタの近傍に電装品箱が配置されているため、無線アダプタと電装品箱とが離れた位置に配置されているよりも、無線アダプタの配線の接続作業を簡便にすることができる。
【発明の効果】
【００１９】
本発明の第１観点に係る空調室内機では、内部に無線アダプタを収納する構成であっても、無線アダプタの設置及び動作確認を簡易に行うことができる。
【００２０】
本発明の第２観点に係る空調室内機では、前面パネルを取り外すことなく、無線アダプタの動作確認を行うことができる
本発明の第３観点に係る空調室内機では、前面パネルを取り外すことなく、無線アダプタの動作確認を行うことができる。
【００２１】
本発明の第４観点に係る空調室内機では、ユーザに対して不快感を与えるおそれを低減することができる。
【００２２】
本発明の第５観点に係る空調室内機では、無線アダプタの通信障害の発生を抑制することができる。
【００２３】
本発明の第６観点に係る空調室内機では、無線アダプタが通風抵抗になることを抑制することができる。
【００２４】
本発明の第７観点に係る空調室内機では、無線アダプタの配線の接続作業を簡便にすることができる。
【図面の簡単な説明】
【００２５】
【図１】本発明の一実施形態に係る空調室内機の縦断面図。
【図２】室内熱交換器及び室内ファンの組立体と前面グリルとを分解した図。
【図３】本体とフィルタとを分解した図。
【図４】本体と前面パネルとを分解した図。
【図５】前面グリルの正面図。
【図６】無線アダプタを説明するための図。
【図７】無線アダプタが収納部に設置された状態を示す概念図。
【発明を実施するための形態】
【００２６】
以下、図面を参照しながら、本発明の一実施形態に係る空調室内機１００について説明する。なお、以下の実施形態は、本発明の具体例であって、本発明の技術的範囲を限定するものではなく、発明の要旨を逸脱しない範囲で適宜変更が可能である。
【００２７】
（１）空調室内機１００の構成
図１は、本発明の一実施形態に係る空調室内機１００の縦断面図である。図２は、室内熱交換器１３及び室内ファン１４が底フレーム１１に固定された室内熱交換器１３及び室内ファン１４の組立体に、前面グリル１２を取り付ける際の説明図である。図３は、本体１０にフィルタ１５を取り付ける際の説明図である。図４は、前面パネル２０を本体１０（前面グリル１２）に取り付ける際の説明図である。
【００２８】
この空調室内機１００は、全体として一方向に細長い形状を呈しており（図４等参照）、その長手方向が水平となるように、部屋の壁面に据え付けられている。空調室内機１００は、無線アダプタ５０（図６参照）を内部に収納しており、図示しないリモコンによる赤外線通信の他に、パソコンや携帯電話等の図示しない端末装置から空調室内機１００の備える各種機器を遠隔操作する無線ＬＡＮ通信を行うことができる。
【００２９】
（２）空調室内機１００の詳細構成
（２−１）本体１０
本体１０は、前面グリル１２と底フレーム１１とを有している。本体１０の内部には、室内熱交換器１３、室内ファン１４及び電装品箱６０が収納されている。
【００３０】
（２−１−１）前面グリル１２
前面グリル１２は、例えば樹脂によって構成されており、前方から底フレーム１１に取り付けられ、本体１０の前面、左右両側面、天面、及び底面を構成する。前面グリル１２は、背面全体が開口した薄型の略直方体形状を呈する。なお、背面側には、空調室内機１００を部屋の壁面に据え付けるための据付板９０が固定される。
【００３１】
前面グリル１２の天面部１２０には、長手方向の両端部のうちの一方の端部を除き、吸込口１９が形成されている。ここでは、図３に示すように、吸込口１９は、天面部１２０の右側端部を除く略全面に形成されている。吸込口１９は、室内空気を本体１０内に吸い込むための開口である。
【００３２】
図５は、前面グリル１２の正面図である。前面グリル１２の前面部１２１は、図５に示すように、正面視において空調室内機１００の延びる方向（ここでは、左右方向）に長い略長方形状を呈する。また、前面部１２１には、電装品箱６０の少なくとも一部が本体１０から露出するように、電装品箱６０に対向する位置に開口１２１ａが形成されている。この開口１２１ａが形成されていることにより、後述する電装品箱６０のサービス蓋６２を取り外すだけで、前面グリル１２を取り外すことなく電装品の状態を確認できるようになっている。なお、ここでは、前面部１２１の長手方向の両端部のうちの一方の端部に開口１２１ａが形成されている。そして、図５では、前面部１２１の長手方向の両端部のうちの一方の端部である右側端部に開口１２１ａが形成されている。また、前面部１２１には、図５等に示すように、無線アダプタ５０を収納するための収納部８０が設けられている。なお、収納部８０については、後に詳しく説明する。
【００３３】
さらに、前面部１２１には、室内熱交換器１３の前面側と対向する位置に吸込開口１２１ｂが形成されている。吸込開口１２１ｂと室内熱交換器１３との間には、フィルタ１５が配置されている。なお、フィルタ１５は、室内熱交換器１３の前方側から上方側まで延在しており、吸込口１９から取り入れられた室内空気中の塵埃を捕集する。さらに、前面部１２１の下部には吹出口１６を構成する開口１２１ｃが形成されている。
【００３４】
前面グリル１２の底面部１２２は、図２に示すように、吹出口１６を構成する開口１２２ａが形成されている。ここでは、該開口１２２ａは底面部１２２の前部に設けられており、前面部１２１の下部に形成された開口１２１ｃ及び底フレーム１１と共に吹出口１６を構成する。
【００３５】
（２−１−２）底フレーム１１
底フレーム１１は、例えば樹脂によって構成されており、室内ファン１４の下方、後方、側方を覆う形状を呈している。底フレーム１１は、室内熱交換器１３及び室内ファン１４を固定する。
【００３６】
底フレーム１１は、その下部において、前面グリル１２と共に吹出口１６を構成している。吹出口１６は、室内熱交換器１３を通過し室内ファン１４を介した調和空気を部屋内へと吹き出すための開口である。ここでは、図１に示すように、吹出口１６は、空調室内機１００の下部近傍であって、空調室内機１００の前面側に設けられている。
【００３７】
吹出口１６には、その長手方向に沿って延びる回動軸周りを回動可能な水平フラップ１７が設けられている。水平フラップ１７は、運転時には吹出口１６から部屋内へと吹き出される調和空気の風向を調整し、運転停止時には吹出口１６を閉じる。
【００３８】
（２−２）室内熱交換器１３及び室内ファン１４
室内熱交換器１３及び室内ファン１４は、底フレーム１１に取り付けられている。室内熱交換器１３及び室内ファン１４は、空調室内機１００の縦断面において、室内ファン１４が空調室内機１００の略中央に配置されており、逆Ｖ字型の形状を呈する室内熱交換器１３が室内ファン１４の上半分を囲むように配置されている。
【００３９】
（２−３）前面パネル２０
前面パネル２０は、例えば樹脂によって構成されており、本体１０（前面グリル１２）の前側を覆うように配置される。なお、ここでは、図１に示すように、前面パネル２０と前面グリル１２との間には、吸込口１９から吸い込まれた空気が吸込開口１２１ｂへと至るまでの通風経路となる隙間が形成されている。また、前面パネル２０は、本体１０に対して着脱自在に構成されており、ユーザや設置作業者は、本体１０から前面パネル２０を容易に取り外すことができる。着脱自在な構成としては、例えば、前面パネル２０の上端が、前面グリル１２の天面部１２０の前側端部に回動自在に支持されており、ヒンジ式に動作する構成などがある。
【００４０】
また、本実施形態の前面パネル２０は、無線アダプタ５０の発光表示部５１の光を透過できるように、その全部又は一部が光の透過性の高い透明色や白色等の淡色で構成されているものとする。
【００４１】
（２−４）電装品箱６０
電装品箱６０は、空調室内機１００の正面視において長手方向の両端部のうちの一方の端部近傍に配置されている。ここでは、図４に示すように、電装品箱６０が、空調室内機１００の正面視において長手方向の両端部のうちの一方の端部である右側端部に配置されている。また、図２に示すように、電装品箱６０は、箱状の箱本体６１と、サービス蓋６２とを有する。そして、電装品箱６０は、内部に制御基板（図示せず）を実装している。
【００４２】
箱本体６１は、図２に示すように、室内熱交換器１３及び室内ファン１４の組立体の右側端部近傍の所定位置に固定される。サービス蓋６２は、室内熱交換器１３及び室内ファン１４の組立体に前面グリル１２が取り付けられた状態で、箱本体６１から着脱自在に設けられている。また、本実施形態のサービス蓋６２は、図２に示すように、一方が開口した箱本体６１の外郭よりも大きい寸法の箱状を呈しており、箱本体６１の開口を覆うようにサービス蓋６２が取り付けられる。
【００４３】
さらに、サービス蓋６２の一側面には、無線アダプタ５０に接続されたハーネス９１（図７参照）を電装品箱６０内部へと引き回すための開口６２ａを形成するための開口形成用爪（図示せず）が設けられている。ここでは、箱本体６１にサービス蓋６２が取り付けられた状態で前面グリル１２の収納部８０に隣接するサービス蓋６２の面（左側面）に開口形成用爪が設けられている。ユーザや設置作業者は、開口形成用爪を１又は複数本折ることで、ハーネス９１を電装品箱６０内部に引き回すことのできる大きさの開口６２ａを形成することができる。無線アダプタ５０と電装品箱６０内部の制御基板とがハーネス９１で接続されることで、無線アダプタ５０と電装品箱６０に収納された制御基板との間で、制御信号等のやりとりを行うことができるようになっていると共に、制御基板に供給される電力を無線アダプタ５０へと送ることができるようになっている。
【００４４】
（２−５）無線アダプタ５０
図６は、無線アダプタ５０を説明するための図である。図６（ａ）は、無線アダプタ５０の正面図である。図６（ｂ）は、無線アダプタ５０の側面図である。図６（ｃ）は、無線アダプタ５０の背面図である。図６（ｄ）は、無線アダプタ５０の底面図である。
【００４５】
無線アダプタ５０は、例えばネットワーク（インターネット）を介して、携帯電話（例えば、スマートフォン）等の端末装置と無線通信が可能であり、空調室内機１００から外部に対して情報を供給するとともに、端末装置から供給された情報を受信することができる。
【００４６】
無線アダプタ５０は、略直方体形状を呈しており、その一面（以下、表示面５０ａという）に発光表示部５１を有する。発光表示部５１は、例えば、ＬＥＤ発光素子を有しており、通電されていない状態の無線アダプタ５０に通電が行われた場合（例えば、空調室内機１００の設置時や停電時等の空調室内機１００の電源が入っていない状態から無線アダプタ５０に初めて通電された場合等）や、端末装置から所定の信号（情報）を受信した場合に、点灯する。また、無線アダプタ５０には、通電の許否を設定する電源スイッチ（図示せず）が設けられており、電源スイッチがＯＮにされることで無線アダプタ５０への通電が許可され、電源スイッチがＯＦＦにされることで無線アダプタ５０への通電が遮断される。なお、発光表示部５１の光は、例えば、所定時間（例えば、３分間）点灯すると、その後、自動的に消灯するように設計されている。
【００４７】
また、無線アダプタ５０は、ハーネス９１の端末を接続するためのハーネス接続部５２を有する。ハーネス接続部５２は、例えば、図６（ｄ）に示すように、表示面５０ａとは異なる面に設けられている。
【００４８】
（３）無線アダプタ５０の収納部８０
無線アダプタ５０の収納部８０は、少なくともその一方が開口した形状を呈するように前面グリル１２に設けられている。本実施形態の収納部８０は、図２に示すように、前面グリル１２の前面部１２１において、前方が開口した箱状に形成されている。そして、ここでは、収納部８０は、電装品箱６０近傍に配置される。具体的には、図５に示すように、前面部１２１において、収納部８０は開口１２１ａと左右方向に隣接して配設されている。なお、前面グリル１２における収納部８０の位置は本実施形態に限定されるものではないが、吸込口１９からフィルタ１５や室内熱交換器１３へと向かう空気流れの通風抵抗にならないように、通風経路外に配置されていることが好ましい。
【００４９】
また、ここでは、前面パネル２０が前面グリル１２の前側を覆うように配置される構成であるため、前面グリル１２の前面部１２１は前面パネル２０と対向するように位置しており、前面部１２１に設けられている収納部８０も前面パネル２０と対向して位置することになる。さらに、ここでは、収納部８０が前方に開口しているため、前面パネル２０が前面グリル１２を覆うように配置された状態で、収納部８０は、前面パネル２０側が開口していることになる。
【００５０】
ここで、空調室内機１００の通風経路とは、吸込口１９から吸い込まれフィルタ１５及び室内熱交換器１３を介して室内ファン１４に至った空気が、吹出口１６から室内へと吹き出されるまでに通過する経路である。前面グリル１２の吸込開口１２１ｂは通風経路の一部を構成しており、吸込口１９から吸い込まれた室内空気の一部は、吸込開口１２１ｂを介してフィルタ１５及び室内熱交換器１３へと至る。ここでは、収納部８０が、吸込開口１２１ｂから離れた位置に配置されている。このため、収納部８０は、空調室内機１００の通風経路外に配置されているといえる。また、本実施形態では、収納部８０の背面側には、室内熱交換器１３の右側方に位置する伝熱管が配置されている。
【００５１】
収納部８０は、その内部が平板状の仕切板８１によって２つの空間に仕切られている（図５参照）。仕切板８１によって仕切られた一方の空間を固定部８２といい、他方の空間を引出部８３という。固定部８２には、無線アダプタ５０が固定される。引出部８３には、無線アダプタ５０に接続されるハーネス９１が配置される。図５では、固定部８２と引出部８３とが上下方向に隣接して配置されている。なお、本実施形態では、固定部８２と引出部８３とが上下方向に隣接して配置されているが、本発明はこれに限定されず、例えば、固定部８２と引出部８３とが左右方向に隣接して配置されていてもよい。
【００５２】
固定部８２は、無線アダプタ５０と略同じ大きさに形成されている。固定部８２の上部及び下部の略中央付近には、図示しない爪部が設けられている。この爪部が無線アダプタ５０の係止部５３に引っ掛かることで、無線アダプタ５０が収納部８０に収納された状態で固定されることになる。なお、ここでは、図６に示すように、無線アダプタ５０の係止部５３が表示面５０ａと対向する面５０ｂに設けられているが、発光表示部５１が前方を向くように無線アダプタ５０が収納部８０に収納される構成であれば、係止部５３の位置はこれに限定されるものではない。また、本実施形態では爪部や係止部５３が設けられているが、無線アダプタ５０が固定部８２に固定されればよく、例えば、爪部や係止部５３の構成に代えて、ネジや両面テープ等の固定部材で無線アダプタ５０を固定部８２に固定してもよい。
【００５３】
引出部８３には、無線アダプタ５０から延びるハーネス９１を電装品箱６０へと引き回すための開口８３ｂが形成されている。ここでは、引出部８３は、固定部８２の下方に配置されており、電装品箱６０に近い側の面（右側面８３ａ）に開口８３ｂとしての切り欠きが形成されている。より詳しくは、該開口８３ｂは、本体１０と電装品箱６０とが固定された状態で、電装品箱６０の備えるサービス蓋６２の開口形成用爪に対向する位置に設けられている。
【００５４】
また、仕切板８１には、固定部８２と引出部８３とを連通させる連通口８１ａが形成されている。連通口８１ａは、仕切板８１において、無線アダプタ５０が固定部８２に収納された状態で無線アダプタ５０のハーネス接続部５２に対向する位置に設けられている。ここでは、仕切板８１には、連通口８１ａとしての切り欠きが形成されている。
【００５５】
（４）無線アダプタ５０の設置方法及び動作確認方法
図７は、無線アダプタ５０が収納部８０に設置された状態を示す概念図である。次に、無線アダプタ５０を空調室内機１００に設置する手順の一例について説明する。
【００５６】
設置作業者又はユーザは、まず、前面パネル２０を取り外し、或いは、前面パネル２０の上端部を前方に回動させることで、前面グリル１２の前面部１２１を露出させ、収納部８０を視認できる状態にする。次に、無線アダプタ５０のハーネス接続部５２にハーネス９１の端部を接続し、発光表示部５１が前方を向くように無線アダプタ５０を固定部８２に固定する。
【００５７】
一方で、電装品箱６０のサービス蓋６２を取り外し、サービス蓋６２に設けられた開口形成用爪を折る。これにより、電装品箱６０内部と収納部８０の引出部８３とを連通させてハーネス９１を引き回すための開口６２ａを形成することができる。
【００５８】
そして、ハーネス接続部５２に接続したハーネス９１を、仕切板８１の連通口８１ａ、引出部８３の開口８３ｂの順に引き回して、電装品箱６０の箱本体６１内に設けられた図示しない接続部に接続する。その後、サービス蓋６２に設けた開口６２ａの外周縁部がハーネス９１の移動を規制するようにサービス蓋６２を箱本体６１に取り付ける。最後に、無線アダプタ５０の電源スイッチをＯＮにしてから、前面グリル１２の前面部１２１が覆われるように前面パネル２０を元の状態に戻し、無線アダプタ５０の設置を完了する。
【００５９】
無線アダプタ５０の設置完了後、設置作業者又はユーザは、無線アダプタ５０の接続や動作を確認するための確認作業を行う。動作確認作業は、無線アダプタ５０の発光表示部５１を利用して行われる。例えば、ハーネス処理が正確に行われていれば、無線アダプタ５０の電源スイッチをＯＮにすることで、ハーネス９１を介して電装品箱６０から無線アダプタ５０へと電力が供給され、無線アダプタ５０の発光表示部５１が点灯する。一方で、ハーネス処理が正確に行われていなかったり、無線アダプタ５０の電源スイッチがＯＦＦの状態になっていたりすると、ハーネス９１を介して電装品箱６０から無線アダプタ５０へと電力が供給されないため、無線アダプタ５０の発光表示部５１は点灯しない。また、無線アダプタ５０が正常に機能していれば、無線アダプタ５０に対して端末装置を介して所定の信号を送信すると、無線アダプタ５０の発光表示部５１が点灯する。一方で、無線アダプタ５０が正常に機能していなければ、無線アダプタ５０に対して端末装置を介して所定の信号を送信しても無線アダプタ５０の発光表示部５１が点灯しなかったり、或いは、無線アダプタ５０に対して端末装置を介して所定の信号を送信すると無線アダプタ５０の発光表示部５１が点滅したりする。したがって、ユーザや設置作業者は、無線アダプタ５０の発光表示部５１の点灯状況を確認することで、無線アダプタ５０の確認作業を簡易に行うことができる。
【００６０】
（５）特徴
（５−１）
従来では、空調室内機の備える無線アダプタは、空調室内機の外部に設置されていることが一般的であった。無線アダプタが空調室内機の外部に設置される場合、無線アダプタがユーザに視認されるため、見た目が悪いという問題がある。また、このような場合には、ハーネス処理に気を遣うため、配線作業が繁雑になるという問題がある。
【００６１】
これに対する方策として、無線アダプタを空調室内機の内部に設置しようとした場合、通常、無線アダプタの発光表示部を外部から視認できなくなる。そうすると、無線アダプタが正常に動作しているか否か等を確認する際に、視認による確認作業を行うことが困難になり、無線アダプタの動作確認作業が繁雑になってしまうおそれがある。また、無線アダプタを空調室内機の内部に設置すると、無線アダプタのＯＮ／ＯＦＦ作業が煩雑になるおそれがある。
【００６２】
本実施形態の空調室内機１００は、無線アダプタ５０を内部に収納している。また、前面パネル２０が本体１０から着脱自在な構成であり、無線アダプタ５０の収納部８０が本体１０において前面パネル２０と対向する位置に設けられている。そして、無線アダプタ５０の発光表示部５１が、前方すなわち前面パネル２０側を向くように収納部８０に設置されている。このため、例えば、本体１０から前面パネル２０を取り外すだけで、発光表示部５１を視認することができる。
【００６３】
これによって、空調室内機１００内部に無線アダプタ５０を収納する構成であっても、無線アダプタ５０の動作確認を簡易に行うことができている。
【００６４】
また、本実施形態では、無線アダプタ５０が前面パネル２０側を向くように収納部８０に設置されているため、本体１０から前面パネル２０を取り外すだけで無線アダプタ５０が露出するため、無線アダプタ５０のＯＮ／ＯＦＦ作業を簡易に行うことができている。
【００６５】
さらに、本実施形態では、前面パネル２０が本体１０から着脱自在な構成であり、無線アダプタ５０の収納部８０が本体１０において前面パネル２０と対向する位置に設けられているため、無線アダプタ５０の設置を簡易することができている。
【００６６】
（５−２）
本実施形態では、前面パネル２０は、発光表示部５１の光を透過できるように構成されている。このため、前面パネル２０を介して発光表示部５１の光を視認することができる。したがって、無線アダプタ５０の動作確認を行うためだけに本体１０から前面パネル２０を取り外す必要がない。よって、無線アダプタ５０の動作確認作業をより簡便に行うことができている。
【００６７】
（５−３）
ここで、発光表示部の光が常時点灯しており、かつ該光をユーザが視認可能な構成の空調室内機の場合、ユーザが空調室内機の故障であると誤認する等、ユーザに対して不快感を与えるおそれがある。
【００６８】
本実施形態では、発光表示部５１の光が、所定時間点灯した後に消灯する。すなわち、本実施形態では、発光表示部５１の光が自動的に消灯するため、ユーザに対して不快感を与えるおそれを低減することができている。
【００６９】
（５−４）
ここで、無線アダプタ５０の無線ＬＡＮ通信は、端末装置との間に金属部品があると該金属部品により電波が遮られることで、通信障害を発生することがある。
【００７０】
本実施形態では、前面パネル２０が樹脂によって構成されているため、無線アダプタ５０の通信障害の発生を抑制することができている。
【００７１】
（５−５）
ここで、空調室内機における通風経路内に無線アダプタが設置されると、経年劣化での汚れや通風抵抗の増加等といった問題が生じる。
【００７２】
本実施形態では、収納部８０が通風経路外に配置されている。このため、無線アダプタ５０が通風抵抗になることを抑制することができると共に、無線アダプタ５０が汚れるのを防止することができている。
【００７３】
（５−６）
ここで、無線アダプタを空調室内機の内部に設置しようとした場合、無線アダプタと電装品箱との距離が遠いとハーネスの配線作業が煩雑になるという問題がある。
【００７４】
本実施形態では、無線アダプタ５０の近傍に電装品箱６０が配置されている。このため、ハーネス９１の長さが短くて済み、かつ無線アダプタ５０の配線作業を簡便にすることができている。
【００７５】
（５−７）
本実施形態では、サービス蓋６２の左側面には開口形成用爪が形成されており、開口形成用爪を折るだけで開口６２ａを形成することができる。すなわち、ハーネス９１を引き回す際には、サービス蓋６２に該開口６２ａを設けるだけで、電装品箱６０内への配線が可能になっている。これにより、配線作業を簡便にすることができている。
【００７６】
（６）変形例
（６−１）変形例Ａ
上記実施形態では、前面パネル２０が無線アダプタ５０の発光表示部５１の光を透過できるように光の透過性の高い材料で構成されている。
【００７７】
しかしながら、本発明に係る前面パネル２０の構成はこれに限定されない。
【００７８】
例えば、前面パネル２０が無線アダプタ５０の発光表示部５１の光を透過できないような材料で構成されていたとしても、無線アダプタ５０の動作確認作業の際に、前面パネル２０を取り外した状態にすることで、発光表示部５１を視認することができる。すなわち、無線アダプタ５０を設置し、ハーネス９１を電装品箱６０に接続した後に、前面パネル２０を元の状態に戻す前に、無線アダプタ５０の動作確認を行えばよい。
【００７９】
また、前面パネル２０と本体１０すなわち前面グリル１２の前面部１２１との間に発光表示部５１の光を部屋の天井に投影させるための光投影空間が形成されていてもよい。例えば、前面パネル２０と前面グリル１２の前面部１２１との間の隙間から部屋の天井へと発光表示部５１の光が漏れるような構成にして、該隙間を光投影空間としてもよい。このように、空調室内機１００に光投影空間があることで、前面パネル２０を前面グリル１２の前面部１２１に取り付けた状態であっても、部屋の天井を見れば発光表示部５１の光を確認することができる。これにより、本体１０から前面パネル２０を取り外すことなく、無線アダプタ５０の動作確認を行うことができる。
【産業上の利用可能性】
【００８０】
本発明によれば、内部に無線アダプタを収納する空調室内機であっても、無線アダプタの設置及び動作確認を簡便に行うことができるため、空調室内機への適用が有用である。
【符号の説明】
【００８１】
１０      本体
２０      前面パネル
５０      無線アダプタ
５１      発行表示部
６０      電装品箱
８０      収納部
１００      空調室内機
【先行技術文献】
【特許文献】
【００８２】
【特許文献１】特開２００８−４９７５号公報
【図１】
2016121833.tif 000003
【図２】
2016121833.tif 000004
【図３】
2016121833.tif 000005
【図４】
2016121833.tif 000006
【図５】
2016121833.tif 000007
【図６】
2016121833.tif 000008
【図７】
2016121833.tif 000009